(57)【要約】【課題】ワークピース又は構造が過剰に湿るのを低減しようとする手法で、湿らすために十分な量の水を提供できる鋸組立体を提供すること。【解決手段】鋸組立体（１００）は鋸（１１０）を備え得る。鋸（１１０）は、構造又はワークピースを切断するためにブレード組立体（１１４）のブレード（１５８）を回転させるように動作可能とされるモータ（１１２）を備える。ブレード（１５８）の一部分を遮蔽するように構成されるブレードガード（１５０）内で水をブレード（１５８）に提供するためにブレード（１５８）の両側に配置されるノズル（１６４）によって、ブレード組立体（１１４）の内部は、動作の際に湿らせられ、ノズル（１６４）は、ブレードガード（１５０）の一部分へと延びるように、及び、ブレード（１５８）の回転軸に対して上向きの角度でブレード（１５８）の方を向くように、位置決めされる。【選択図】図１
2017109404.tif 000002
【特許請求の範囲】
【請求項１】
構造物を切断するためにブレード組立体（１１４；２１４；４１４；５１４）のブレード（１５８；４５８；５５８）を回転させるように動作可能とされるモータ（１１２；２１２；４１２；５１２）を含んでいる鋸（１００；２１０；４１０；５００）を備えている鋸組立体（１００；２００；４００；５００）であって、前記ブレードの一部分を遮蔽するように構成されているブレードガード（１５０；４５０；５５０）の内部において水を前記ブレード（１５８；４５８；５５８）に供給するように前記ブレード（１５８；４５８；５５８）の側方それぞれに配置されているノズル（１６４；２６４；４６４；５６４）によって、動作の際に、前記ブレード組立体（１１４；２１４；４１４；５１４）の内部を湿らせる、前記鋸組立体（１００；２００；４００；５００）において、
前記ノズル（１６４；４６４；５６４）が、前記ブレードガード（１５０；４５０；５５０）の一部分の内部に向かって延在するように、且つ、前記ブレード（１５８；４５８；５５８）の回転軸（１６９）に対して上向きの角度で前記ブレード（１５８；４５８；５５８）に向かうように位置決めされていることを特徴とする鋸組立体（１００；２００；４００；５００）。
【請求項２】
前記ブレード組立体（１１４；４１４；５１４）が、前記ブレードガード（１５０；４５０；５５０）に結合されている水収集部（１６０；４６０；５６０）であって、前記ブレード（１５８；４５８；５５８）が貫通して延在しているブレード開口部（１７０）を形成している前記水収集部（１６０；４６０；５６０）をさらに備えており、
前記ノズル（１６４；４６４；５６４）が、前記水収集部（１６０；４６０；５６０）の少なくとも１つの端部の近傍に設けられており、
前記水収集部（１６０；４６０；５６０）が、チャネル（１５９）を通じて、前記水収集部（１６０；４６０；５６０）の第２の端部に配置されている出口（１６６）に向かって、水を方向づけていることを特徴とする請求項１に記載の鋸組立体（１００；４００；５００）。
【請求項３】
前記水収集部（１６０；４６０；５６０）が、前記ブレードガード（１５０；４５０；５５０）から取り外し可能とされる単一の一体部品として形成されていることを特徴とする請求項２に記載の鋸組立体（１００；４００；５００）。
【請求項４】
前記水収集部（１６０；４６０；５６０）が、別々のチャネル部材（１６１／１６３）によって形成されていることを特徴とする請求項２に記載の鋸組立体（１００；４００；５００）。
【請求項５】
前記別々のチャネル部材（１６１，１６３）が、前記ブレードガード（１５０）を形成している第１のブレードガード部材（１５２）及び第２のブレードガード部材（１５４）それぞれと一体化されていることを特徴とする請求項４に記載の鋸組立体（１００；４００；５００）。
【請求項６】
前記ブレード（１５８；４５８；５５８）が、前記ブレードの周囲から内方に延在している切欠（１５５；４５５；５５５）を備えており、
前記ノズル（１６４；４６４；５６４）が、滴又は飛沫を形成するために、前記ノズル（１６４；４６４；５６４）からのジェットが前記切欠（１５５；４５５；５５５）に衝突するように配置されていることを特徴とする請求項１〜５のいずれか一項に記載の鋸組立体（１００；４００；５００）。
【請求項７】
前記ノズル（１６４；４６４；５６４）が、前記ブレード（１５８；４５８；５５８）から５ｍｍ未満の距離で、好ましくは、４ｍｍ未満の距離で離隔して配置されており、前記回転軸（１６９）に対して、１５度より大きい角度で、好ましくは３０度より大きい角度で方向づけられていることを特徴とする請求項１〜６のいずれか一項に記載の鋸組立体（１００；４００；５００）。
【請求項８】
前記鋸組立体（１００；４００；５００）が、携行式切断機械（４００）とされ、
前記モータ（４１２）が、電気エンジン、バッテリー式電気エンジン、油圧式エンジン、空圧式エンジン、又は内燃エンジン（４１２）とされることを特徴とする請求項１〜７のいずれか一項に記載の鋸組立体（１００；４００；５００）。
【請求項９】
前記鋸組立体が、前記ブレード（５５８）によって切断される表面（５０１）における移動のための少なくとも３つの車輪を有する、床用又は道路用の鋸（５００）であり、前記モータ（５１２）が、電気エンジン、バッテリー式電気エンジン、油圧式エンジン、空圧式エンジン、又は内燃エンジン（４１２）とされることを特徴とする請求項１〜７のいずれか一項に記載の鋸組立体（１００；４００；５００）。
【請求項１０】
前記鋸組立体（１００；４００；５００）が、案内用軌道に沿って移動する床用又は道路用の鋸（５００）とされ、
前記モータ（５１２）が、電気エンジン、バッテリー式電気エンジン、油圧式エンジン、空圧式エンジン、又は内燃エンジン（４１２）とされることを特徴とする請求項１〜７のいずれか一項に記載の鋸組立体（１００；４００；５００）。
【請求項１１】
前記ノズル（５６４，５６４′）が、前方端部ノズル（５６４）及び後方端部ノズル（５６４′）として、水収集部の端部それぞれの近傍に設けられており、
送水弁が、水が前記前方端部ノズル（５６４）又は前記後方端部ノズル（５６４′）に向かって方向づけられるように、前記前方端部ノズルと前記後方端部ノズルとの両方に結合されていることを特徴とする請求項２〜１０のいずれか一項に記載の鋸組立体（４００；５００）。
【請求項１２】
代替的に、水が、すべての前記ノズル（５６４，５６４′）に向かって方向づけられていることを特徴とする請求項１１に記載の鋸組立体（４００；５００）。
【請求項１３】
前記鋸（４００；５００）が、前記ブレードの回転を両方向において可能とするように配置されていることを特徴とする請求項２〜１２のいずれか一項に記載の鋸組立体（４００；５００）。
【請求項１４】
前記鋸組立体（１００）が、互いに直接接続することによってハンドルユニット（１６５）を形成している、前方ハンドル（１６３）及び後方ハンドル（１６４）を有しているように配置されている携行式切断機械（１００）とされ、
鋸ブレード組立体（１１４）及び駆動ユニット（１６６）が発生させる振動が、前記ハンドルユニット（１６５）の内部において低減されるように、前記ハンドルユニットが、前記駆動ユニット（１６６）に弾性的に接続されていることを特徴とする請求項１〜８及び請求項１１〜１３のいずれか一項に記載の鋸組立体（４００；５００）。
【請求項１５】
送水弁（１６８）が、流量を調整するために、又は流れを遮断するために、少なくとも１つの前記ノズル（１６４）に接続されていることを特徴とする請求項１〜８及び請求項１１〜１４のいずれか一項に記載の鋸組立体（４００；５００）。
【請求項１６】
前記送水弁（１６８）が、前方ハンドル（１６３）に配置されていることを特徴とする請求項１５に記載の鋸組立体（４００；５００）。
【請求項１７】
前記鋸組立体（４００；５００）が、タイル用又はレンガ用の鋸組立体（１００／２００）とされ、
タイル用又はレンガ用の前記鋸組立体（１００／２００）が、ワークピースを支持するために前記鋸（４１０、２１０）に動作可能に結合されているフレーム（４２０；２２０）であって、水を収集するための水収集システム（４２１；２２１）を支持している前記フレーム（４２０；２２０）を備えていることを特徴とする請求項１〜７及び請求項１１〜１３のいずれか一項に記載の鋸組立体（４００；５００）。
【請求項１８】
前記ブレード組立体（１１４／２１４）が、前記ブレードガード（１５０）に結合されている水収集部（１６０）であって、前記ブレード（１５８）が貫通して延在しているブレード開口部（１７０）を形成している前記水収集部（１６０）をさらに備えており、
前記ノズル（１６４）が、操作者の最近傍に位置する前記水収集部（１６０）の第１の端部の近傍に設けられており、
前記水収集部（１６０）が、チャネル（１５９）を通じて、前記水収集部（１６０）の第２の端部に配置されている出口（１６６）に向かって水を方向づけていることを特徴とする請求項１７に記載の鋸組立体（１００／２００）。
【請求項１９】
水収集部（１６０）が、前記ブレードガード（１５０）から取り外し可能とされる単一の一体部品として形成されていることを特徴とする請求項１７又は１８に記載の鋸組立体（１００／２００）。
【請求項２０】
前記水収集部（１６０）が、別々のチャネル部材（１６１／１６３）によって形成されていることを特徴とする請求項１１に記載の鋸組立体（１００／２００）。
【請求項２１】
前記別々のチャネル部材（１６１／１６３）が、前記ブレードガード（１５０）を形成している第１のブレードガード部材（１５２）及び第２のブレードガード部材（１５４）それぞれと一体化にされていることを特徴とする請求項２０に記載の鋸組立体（１００／２００）。
【請求項２２】
前記鋸組立体（１００／２００）が、出口（１６６）から水収集システム（１２１／２２１）に向かって水を方向づけるように、前記ブレードガード（１５０）に回動可能に結合されている回転式飛沫ガード（１５６）をさらに備えていることを特徴とする請求項１７〜２１のいずれか一項に記載の鋸組立体（１００／２００）。
【請求項２３】
前記ブレードガード（１５０）が、前記回転軸（１６９）を中心として回転可能に配置されており、
水収集部（４６０）のチャネル（４５９）が、切断の際に、第１の端部から出口（４６６）を具備する第２の端部に向かって下方に傾斜するように、リンク（４５１）が、切断の際に前記ブレードガード（４５０）を回転させるように配置されていることを特徴とする請求項１７〜２１のいずれか一項に記載の鋸組立体（１００／２００）。
【発明の詳細な説明】
【技術分野】
【０００１】
例示の実施形態は、鋸組立体に関し、より具体的には、比較的清潔で容易な方法で切断ブレードを湿らせるために鋸の能力を向上するように構成された鋸組立体に関する。さらに、例示の実施形態は、カットオフ鋸、床用もしくは壁用の鋸、床用もしくは道路用の鋸、又は、タイル用もしくはレンガ用の鋸の切断ブレードを湿らせることに関する。
【背景技術】
【０００２】
レンガ、タイル、コンクリートの部品又は表面などの構造の切断は、しばしば、ダイヤモンドブレードで行われ、これは多くの粉塵を生成する。粉塵の発生を抑制又は低減するために、構造物を切断するとき、湿式切断が用いられてもよい。
【０００３】
重要であるにもかかわらず、湿式切断はかなり面倒なことであり得るし、ワークピース又は表面は、加工の間、相当に湿らせられ得る。ワークピースが使用され得る前に、湿ったワークピースを乾かすことが概して必要である。従って、水をワークピース全体に飛び散らせてしまう従来のブレードガードのため、貴重な時間が失われかねない。
【発明の概要】
【発明が解決しようとする課題】
【０００４】
そのため、湿らすために十分な量の水を提供できるが、ワークピース又は構造が過剰に湿るのを低減しようとする手法でも水を提供できる鋸組立体に対する要望がある。そのようなものとして、一部分の例示の実施形態は、湿式切断のために噴霧される水を収集するための向上された方法も提供できる。この点において、例えば、一部分の実施形態は、切断されている材料に衝突するミストを作り出すために、斜めでの水の散布と、ワークピース又は構造をできるだけ乾燥させたままにするために、水を収集して水を切断位置から遠ざけるように移動させるための流路とを提供できる。
【課題を解決するための手段】
【０００５】
そのため、例示の実施形態によれば、鋸組立体が提供され得る。鋸組立体は鋸を備えてもよい。鋸は、ワークピースを切断するためにブレード組立体のブレードを回転させるように動作可能とされるモータを備えてもよい。ブレード組立体の内部は、ブレードの一部分を遮蔽するように構成されるブレードガード内で水をブレードに提供するためにブレードの両側に配置されるノズルによって、動作の際に湿らせられる。ノズルは、ブレードガードの一部分へと延びるように、及び、ブレードの回転軸に対して上向きの角度でブレードの方を向くように、位置決めされる。この鋸組立体は、例えば、携行式切断機械、床用又は道路用の鋸、タイル用又はレンガ用の鋸といった、様々な用途に使用できる。
【０００６】
そのため、別の例示の実施形態によれば、タイル用又はレンガ用の鋸組立体が提供され得る。タイル用又はレンガ用の鋸組立体は、鋸とフレームとを備えてもよい。鋸は、ワークピースを切断するためにブレード組立体のブレードを回転させるように動作可能とされるモータを備えてもよい。ブレードの一部分を遮蔽するように構成されるブレードガード内で水をブレードに提供するためにブレードの両側に配置されるノズルによって、ブレード組立体の内部は、動作の際に湿らせられる。フレームは、ワークピースを支持するために鋸に動作可能に結合される。フレームは、水を収集するための水収集システムを支持する。ノズルは、ブレードガードの一部分へと延びるように、及び、ブレードの回転軸に対して上向きの角度でブレードの方を向くように、位置決めされる。
【０００７】
好ましい実施形態の以下の説明では、添付の図面への参照が行われる。
【図面の簡単な説明】
【０００８】
【図１】例示の実施形態による水収集システムと水散布技術とを用いる携行式切断鋸の斜視図である。
【図２】例示の実施形態の水収集システムと水散布技術とを用いるレンガ用鋸の斜視図である。
【図３】例示の実施形態によるタイル用鋸の後方からの斜視図である。
【図４Ａ】例示の実施形態によるブレードガードの一方の側からの斜視図である。
【図４Ｂ】例示の実施形態によるブレードガードの他方の側からの斜視図である。
【図５】例示の実施形態による、ブレードが取り外された状態のブレードガードの下側の斜視図である。
【図６】例示の実施形態によるブレードガードの分解斜視図である。
【図７】例示の実施形態によるブレードガードの断面図である。
【図８】例示の実施形態による代替のブレードガードの分解斜視図である。
【図９】例示の実施形態によるブレードガード及びノズルを用いることができる道路用鋸の側面図である。
【発明を実施するための形態】
【０００９】
本発明は、本発明の１つ又は複数の態様を取り入れている本発明の例示の実施形態が示されている添付の図面を参照しつつ、以後においてより完全に説明されることになる。図面では、同様の番号は同様の要素を参照している。
【００１０】
前述のように、一部分の例示の実施形態は、鋸組立体に湿式切断のための水を容易に提供する能力を操作者に提供でき、また、このような切断の間に、水を散布及び収集するための効率的な方法も提供できる。図１〜図１０は、一部分の例示の実施形態の説明を容易にするために、例示の実施形態を用いる鋸の部分の、異なる視点からの様々な図を示している。
【００１１】
図１に示すように、携行式鋸１００（例えば、携行式切断機械）は、ブレード１５８を備えているブレード組立体１１４を回転駆動するように構成されたモータ１１２を備え得る。ブレード１５８は、前述のブレードガードと同様であるブレードガード１５０に少なくとも一部分収容されてもよい。そのようなものとして、例えば、ブレードガード１５０は、ブレードガード１５０の開いた端部の周囲に配置された水収集部１６０を備えて、比較的小さい隙間をブレード１５８と水収集部１６０との間に提供してもよい。水収集部１６０は、前述のように水を収集する／方向づけるために、ブレード１５８の両側に沿って延びるチャネルを形成し得る。
【００１２】
ホース１６２は、ブレード１５８における切欠１５５の近傍に上向きの角度でブレード１５８へと水を提供又は噴霧するノズル１６４に、水を提供できる。ノズル１６４は、切欠１５５に衝突させることによって滴又は飛沫を形成するために、水ジェットを生成できる。水の滴／飛沫は、ブレード１５８によって切欠１５５において運ばれて、切断の間の粉塵の生成を低減する。しかしながら、ブレード１５８と収集部１６０との間の比較的小さい隙間は、ブレードガード１５０のより低い高さの端部に配置された出口へと送るため、水収集部１６０におけるノズル１６４を通じてブレード１５８へと噴霧される水の収集を容易にすることができる。送水弁１６８が、流体の量を調整するために、又は、流れを遮断するために、ノズル１６４のうちの少なくとも１つに接続され得る。好ましくは、送水弁１６８はすべてのノズルに接続され得る。好ましくは、送水弁１６８は前方ハンドル１６３に配置される。
【００１３】
一部分の場合では、先に記載したブレードガード及びノズル構成は、床用鋸、道路用鋸、壁用鋸などに用いられてもよい。従って、例えば、軌道が床又は壁にボルト留めされ、例示の実施形態を用いる鋸が、軌道に沿って動く可動組立体に取り付けられてもよい。代替で、可動組立体は、地上、又は、任意のコンクリート、アスファルト、もしくは他のレンガ表面の上を走行する車輪（例えば、少なくとも３つの車輪）を備えてもよい。携行式切断機械１００は、ハンドルユニット１６５を形成するために互いと直接的に接続される前方ハンドル１６３及び後方ハンドル１６４を有するように構成されてもよく、ハンドルユニット１６５は、駆動ユニット１６６に弾性的に接続されることで、鋸ブレード組立体１１４及び駆動ユニット１６６からの振動が、ハンドルユニット１６５において低減されることになる。
【００１４】
以下において、ブレードへの水の追加と水収集部の使用とが、タイル用又はレンガ用の鋸に関して、図２〜図８を参照して、より完全に説明される。これは、携行式切断鋸、床用鋸、壁用鋸をも代表している。少なくとも図２及び図３に示しているように、タイル用又はレンガ用の鋸組立体４００は、鋸４１０とフレーム４２０とを備え得る。フレーム４２０は、鋸４１０を用いて切断作業を実行するために、鋸がフレーム４２０に対して移動できるように、鋸４１０を全体的に支持し得る。鋸４１０は、動力源からの動力の選択的な適用に応答して動作可能であるモータ４１２を備え得る。用いられる動力源に基づいて、モータ４１２は、例えば、電気動力供給又はガソリン／石油動力供給のいずれかであり得る。従って、モータ４１２への動力の適用に応答して、モータ４１２は、例えば、タイル、石、レンガ、コンクリート、又は他のこのような建設資材であり得るワークピースを切断するために、ブレード組立体４１４に動力供給するように構成され得る。操作者は、フレーム４２０に対して鋸４１０を移動するために、鋸４１０の移動組立体４１８を用いることができるハンドル４１６を介して、鋸４１０の操作を少なくとも一部分制御できる。前述のように、鋸４１０は、以下でより詳細に説明する機構を介して水がブレード組立体４１４へと散布されるように、湿式切断を採用し得る。
【００１５】
フレーム４２０は、ブレード組立体４１４に散布される水の少なくとも一部分を収集するように機能する水収集システム４２１を備え得る。水収集システム４２１は、フレーム４２０の一端部に配置される収集部４２２を備え得る。収集部４２２は、フレーム４２０の一方の縦方向端部から、フレーム４２０の反対の縦方向端部に配置されている水タンク４２４に向かって、フレーム４２０の側部同士の間で延び得る。従って、収集部４２２と水タンク４２４とは、組み合わさって、動作の際に、ブレード組立体４１４から放出されるあらゆる水を収集するための表面を形成できる。
【００１６】
収集部４２２は、概して、フレーム４２０内で水平に位置でき、水を収集部４２２の横方向の縁の近くの領域からフレーム４２０の縦方向中心線に向かって方向づける傾斜された側部を備え得る。収集部４２２は、収集部４２２が隣接するフレーム４２０の縦方向の端部から遠ざかって水タンク４２４に向かうように水を方向づけるために、傾斜されてもよい。
【００１７】
水タンク４２４は、そこに提供される水を、ブレード組立体４１４への水の散布において再使用するために、収集部４２２によって収集できる。従って、例示の実施形態の水収集システム４２１は、湿式切断のための水を散布、収集、及び再使用するための比較的効率的な方法を提供できる。
【００１８】
フレーム４２０は、鋸４１０を用いて切断されることになるワークピースを支持するための骨格を提供できるワークピース支持体４２６も備え得る。ワークピース支持体４２６は、切断されるワークピースを保持するために、フレーム４２０にわたって横方向に延びる実質的に平面の支持体であり得る。ワークピース支持体４２６は、収集部４２２と水タンク４２４との一方又は両方の上方で支持されるように、フレーム４２０の縦方向長さに沿って滑る、又は、転がるように可能とされ得る。ワークピース支持体４２６は、切断運転が実施されるときにブレード組立体４１４の切断要素が内部で回転できる凹所を形成している溝４２８又は切欠部を備え得る。溝４２８は、内部で噴霧されるあらゆる水、又は、別の方法によって内部で収集するあらゆる水を、収集部４２２と水タンク４２４との一方又は両方へと方向づけるように機能もできる。
【００１９】
例示の実施形態では、ブレード組立体４１４は、ある場合には、相対する外郭を形成できる２つの別々の部材（例えば、第１のブレードガード部材４５２及び第２のブレードガード部材４５４）から形成され得るブレードガード４５０を備え得る。ブレードガード４５０は、水収集システム４２１に向けて水を方向づけるために、ブレードガード４５０に回動可能に結合され得る回転式飛沫ガード４５６を備え得る。この点に関して、例えば、鋸４１０のブレード４５８は、ブレードガード４５０内に少なくとも一部分収容されてもよい。しかしながら、ブレードガード４５０は、ブレード４５８の半分未満を露出されたままとし、そのため、残りの露出されていない部分だけを遮蔽し得る。回転式飛沫ガード４５６は、露出されていない部分にわたって拡がり得る所定範囲にわたって回転可能であり得るが、ブレード４５８の露出された部分の少なくとも一部分を、回転式飛沫ガード４５６によって、横側において覆わせる、又は、包囲させることもできる。ブレード４５８における切欠４５５に運ばれる水によって引き起こされる水飛沫（例えば、ブレード４５８への水の噴霧に応答して）は、回転式飛沫ガード４５６によって、又は、回転式飛沫ガード４５６の尾部品４５７によって、収集部４２２へとそらされる。
【００２０】
回転式飛沫ガード４５６は、第１のブレードガード部材４５２及び第２のブレードガード部材４５４に、回転式飛沫ガード４５６に設けられた１つ又は複数の弓形のスロットを介して、回動するように結合されて、第１のブレードガード部材４５２及び第２のブレードガード部材４５４の相対する側から延びる対応する１つ又は複数の突起を受け入れ得る。一部分の場合では、突起及び／又はスロットは、工具を使用することなく回転式飛沫ガードを取り外しできるようにスロットと突起とが一列にされる位置へと回転式飛沫ガード４５６を回転させることができるように、構成され得る。
【００２１】
水は、ブレードガード４５０へと提供でき、ブレード４５８の横側に沿って延びるチャネル４５９によって形成されている水収集部４６０において収集され得る。ブレードガード４５０への水の提供は、水をノズル４６４へと供給できる１つ又は複数の制御弁、ポンプ、及び／又はホース４６２を介して実現されてもよい。ノズル４６４は、回転式飛沫ガード４５６が延びわたる端部に対して、ブレードガード４５０の反対の端部に設けられ得る。一部分の実施形態では、ホース４６２は、水をノズル４６４へと送るために、ブレードガード４５０の外側の近傍に備え付けられてもよい、又は、別の方法によって設けられてもよい。その一方で、ノズル４６４は、第１のブレードガード部材４５２及び第２のブレードガード部材４５４の外側から、第１のブレードガード部材４５２及び第２のブレードガード部材４５４を貫いて、ブレードガード４５０の一部分へと延びるように位置付けられてもよい。さらに、ノズル４６４は、（例えば、ブレード４５８の回転軸４６９に対して上向きの角度で）ブレード４５８の方に向けられてもよい。そのため、水は、ブレード４５８へと水を方向づけるために、ブレード４５８に非常に近い位置へと、ホース４６２を通じてノズル４６４に提供され得る。モータ４１２に動作可能に結合されたベルトプーリ４７０によって回転される軸４６８の周りのブレード４５８の回転と、一部分の場合における、切欠４５５における水の収集とは、ワークピースが切断されるとき、作り出されるミストに粉塵の分散を最小限にさせることができる。
【００２２】
例示の実施形態では、ノズル４６４は、ブレード４５８から５ｍｍ未満の距離内、できれば、４ｍｍ未満の距離内で、ブレード４５８に隣接するように位置決めされ得る。ノズル４６４は、回転軸４６９に対して、１５度より大きい角度、又は、３０度よりさらに大きい角度（例えば、ブレード４５８の回転軸４６９に対する角度）で、方向づけられてもよい。一部分の実施形態では、ノズル４６４は、回転軸４６９に対して約４５度の角度で方向づけられてもよい。ノズル４６４は、操作者に最も近い水収集部４６０の端部の近傍に設けられてもよい。
【００２３】
ブレード４５８に隣接するブレードガード４５０内で霧状にされる水は、水収集部４６０のチャネル４５９で収集され得る。比較的小さい公差が、飛び散りを最小限に保とうとするために、水収集部４６０の内側の側壁とブレード４５８との間に設けられ得る。しかしながら、少なくとも一部分の水が粉塵発生を最小限にするために切断場所へと運ばれることは重要であり、それにより、その水の一部分は、ブレードガード４５０から運ばれ得、回転式飛沫ガード４５６及び／又は尾部品４５７によってそらされて、収集機４２２及び水タンク４２４へと方向づけられ得る。その一方で、水収集部４６０のチャネル４５９で収集された水は、ノズル４６４が近くに設けられている端部の反対の水収集部４６０の端部に配置されている出口４６６に向かって運ばれ得る。出口４６６は、ノズル４６４の近傍に位置する水収集部４６０の端部における高さより低い高さにあってもよい。代替又は追加で、リンク４５１が、切断を通じて前進する一方で、チャネル４５９が出口４６６に向かって下方に傾斜させられるように、切断の実行の間にブレードガード４５０を若干回動、回動、又は回転させるために、鋸４１０に設けられてもよい。従って、水収集部４６０におけるすべての水は、出口４６６から水収集部４２２又は水タンク４２４へと重力で出て行くことができる。
【００２４】
例示の実施形態では、水収集部４６０は、ブレード４５８が延びて通るブレード開口部４７０を形成されている。図６から理解できるように、第１のブレードガード部材４５２及び第２のブレードガード部材４５４は、それらの間の結合部において、結合の防水性を保つために設けられ得るガスケット４５３を有し得る。従って、ブレードガード４５０へと噴射される水が進める唯一の場所は、概して、ブレード４５８の表面（又は、切欠４５５の中）において、又は、水が最小限しか飛び散らないチャネル４５９の中においてである。
【００２５】
ブレードガード４５０の２つの部分（すなわち、第１のブレードガード部材４５２及び第２のブレードガード部材４５４）は、例えば、ブレード４５８が簡単に交換できるように、互いから取り外し可能であり得る。接続ノブ４６８又は任意の他の留め具が、第１のブレードガード部材４５２と第２のブレードガード部材４５４とを一緒に固定すること、又は、それらを分解することを容易にするために、用いられ得る。第１のブレードガード部材４５２と第２のブレードガード部材４５４とが分解できることを考えれば、一部分の実施形態が水収集部４６０を２つの対応する部品へと分割させることもできることも、同様に理解され得る。従って、例えば、別々のチャネル部材（例えば、第１のチャネル部材４６１及び第２のチャネル部材４６３）が、第１のブレードガード部材４５２及び第２のブレードガード部材４５４のそれぞれの一方の底に設けられ得る。しかしながら、図９に示す代替の実施形態では、第１のブレードガード部材４５２′及び第２のブレードガード部材４５４′が分割可能であってもよく、前述のように、回転式飛沫ガード４５６′を支持できる。しかしながら、水収集部４６０′は、ブレードガード４５０から取り外し可能とされる単一の一体部品として形成されている。このような例では、ノズル４６４は、操作者の最も近くになおも位置決めでき、出口４６６′は、ノズル４６４の反対の端部（及び、より低い高さ）に形成されている。
【００２６】
例示の実施形態をレンガ用鋸（すなわち、レンガ用鋸１００）の文脈で先に説明してきたが、例示の実施形態は他の文脈で実施されてもよいことを理解されたい。従って、図２は、例示の実施形態を用いることができるタイル用鋸２００を示すために提供されている。そのため、タイル用鋸２００は、鋸２１０及びフレーム２２０を含むがそれらに限定されない、前述のものと同様の多くの構成部品を備えている。鋸２１０は、前述のモータ１１２と同様のモータ２１２を備えている。鋸２１０は、ブレード組立体２１４（前述したものと同様のブレードガードを備え得る）と、ハンドル２１６と、移動組立体２１８とをも備えている。水は、前述のものと同様の収集部２２２及び水タンク２２４を備える水収集システム２２１へと方向づけられ得る。ワークピース支持体２２６も設けられてよく、前述のものと同様の溝２２８を備え得る。鋸２１０は、移動組立体１１８又は２１８をフレーム２２０に動作可能に結合させることができるように、フレーム２２０に沿って延びる様々なレールなどを走行するために、一連のプーリ、ローラ、及び可撓性結合部材を備える位置決め組立体３００を介して、フレーム２２０の一方の側に沿って縦方向に移動できる。そのため、位置決め組立体３００は、鋸１１０又は２１０を、切断における係合する間、又は、切断における係合のための準備において、レールに沿って移動させることができる。
【００２７】
一部分の場合では、先に記載したブレードガード及びノズル構成は、床用鋸、道路用鋸、壁用鋸、床用鋸などに用いられてもよい。従って、例えば、軌道が床又は壁にボルト留めされ、例示の実施形態を用いる鋸が、軌道に沿って動く可動組立体に取り付けられてもよい。代替で、可動組立体は、地上、又は、任意のコンクリート、アスファルト、もしくは他のレンガ表面の上を走行する車輪（例えば、少なくとも３つの車輪）を備えてもよい。
【００２８】
図９は、ブレード組立体５１４を回転可能に駆動するモータ５１２に加えて、可動組立体を有し得る道路用鋸５００の例を示している。可動組立体は、道路用鋸５００を表面５０１上で運ぶことができる。モータ５１２は、油圧式エンジン、空圧式エンジン、電気エンジン、バッテリー式電気エンジン、又は内燃エンジン（４１２）とされる。内燃エンジンが、図示した道路用鋸については使用されている。屋内使用については、電気モータ５１２がしばしば使用され、機械は床用鋸と呼ばれる。そのため、より大まかには、機械の種類は床用又は道路用の鋸（５００）である。ブレード組立体５１４は、ブレードガード５５０内に少なくとも一部分包囲されているブレード５５８を備え得る。ブレードガード５５０には、前述のように、ホース５６２を介して水が提供される。水収集部５６０が、ブレード５５８と水収集部５６０との間に比較的小さい隙間を提供するために、ブレードガード５５０の開いた端部の周囲に設けられている。
【００２９】
ホース５６２を介して提供される水は、水収集部５６０の一端部においてブレード５５８の両側に配置されたノズル５６４を介して、ブレード５５８に噴霧される。ノズル５６４は、ブレード５５８から５ｍｍ未満の距離、好ましくは、４ｍｍ未満の距離に設けられてもよく、少なくとも１５度の角度、ある場合には、３０度より大きい角度で、（ブレード５５８の回転軸に対して）上向きに曲げられ得る。一部分の場合では、道路用鋸５００（又は、壁用鋸）は、上向き削り方向（破線の矢印で示されている）又は下向き削り方向（実線の矢印で示されている）のいずれかで回転するように可能とされ得る。ブレード５５８がいずれの方向にも回転できることを考えれば、追加のノズル５６４′のセットが、ノズル５６４が設けられている端部に対して水収集部５６０の反対の端部に設けられてもよい。そういうものとして、ノズル５６４及び５６４′は、水収集部５６０の両端部の近傍に設けられている。この例では、ノズルは、さらなる詳述を容易にするために、前方端部ノズル５６４及び後方端部ノズル５６４′として称されてもよい。
【００３０】
例示の実施形態では、送水弁が前方端部ノズル５６４と後方端部ノズル５６４′との両方に結合されてもよい。送水弁は、水が前方端部ノズル５６４又は後方端部ノズル５６４′のいずれかへと方向づけられ得るように、動作可能であり得る。どちらのノズルのセットに水を提供するかについての決定は、ブレード５５８の回転の方向に基づいて行われ得る。しかしながら、一部分の実施形態では、水は、前方端部ノズル５６４と後方端部ノズル５６４′との両方に同時に提供されてもよい。水は、切断の間の粉塵の生成を低減するためにブレード５５８によって運ばれる。しかしながら、ブレード５５８と収集部５６０との間の比較的小さい隙間は、ブレードガード５５０のより低い高さの端部に配置された出口へと送るため、水収集部５６０における前方端部ノズル５６４又は後方端部ノズル５６４′を通じてブレード５５８へと噴霧される水の収集を容易にすることができる。一部分の場合では、尾部品５８０が、水収集部５６０からの水を地上へと方向づけるために設けられてもよい。水を収集するために、ホースが尾部品５８０へと接続されてもよい。壁用鋸は、図９の道路用鋸と非常に似ているブレード５５８及びブレードガード５５０を有しているが、壁又は床に固定された案内用軌道に沿って動く。そのため、壁用又は床用の鋸としばしば称される。回転の方向は切り替えでき、そのため、前述の道路用鋸についての同じことが当てはまる。
【００３１】
先に提供した記載及び図面に基づいて、例示の実施形態のタイル用又はレンガ用の鋸組立体が鋸及びフレームを備え得ることを理解されたい。鋸は、ワークピースを切断するためにブレード組立体のブレードを回転させるように動作可能とされるモータを備えてもよい。ブレードの一部分を遮蔽するように構成されるブレードガード内で水をブレードに提供するためにブレードの両側に配置されるノズルによって、ブレード組立体の内部は、動作の際に湿らせられる。フレームは、ワークピースを支持するために鋸に動作可能に結合される。フレームは、水を収集するための水収集システムを支持する。水収集システムは、フレームから取り外し可能である水タンクを備える。
【００３２】
一部分の実施形態の鋸組立体は、単独、又は、互いとの組合せのいずれかで、選択的に追加できる付加的な特徴を含んでもよい。例えば、一部分の実施形態では、（１）水タンクは、水タンクからノズルへと水を提供するために、ポンプとつなぎ合わせるように構成されたポンプ筐体部をさらに備え得る。（１）に加えて、又は、代替として、一部分の実施形態では、（２）水タンクは、フレームにおいて水平の配向で位置するように構成でき、また、水平の配向でフレームに配置されたまま満たすことができて水をノズルに提供するようにも構成され得る。（１）及び（２）に加えて、又は、代替として、一部分の実施形態では、（３）水タンクは、水平の配向でフレームに挿入されるときに適切な水位を有するように、鉛直な配向でフレームから取り外されたまま満たすことができるように構成され得る。
【００３３】
一部分の実施形態では、（１）〜（３）のうちのいずれか又はすべてが、以下に記載する選択的な変更又は拡張に加えて用いられてもよい。例えば、一部分の実施形態では、ポンプ筐体部は、沈殿物がポンプ筐体部に入るのを防止するための構造とされてもよい。追加又は代替で、フレームは、ブレード組立体から遠ざかる様に方向づけられる水を収集するために、及び、収集された水を水タンクに提供するために、水タンクの近傍に配置された収集器をさらに支持するように構成され得る。追加又は代替で、水タンクの少なくとも１つの表面は、水タンクで収集させるために、水をその表面に方向づけるように構成され得る。追加又は代替で、取り外し可能とされるキャップが、キャップが水タンクと係合されたときに水タンクを鉛直方向に立たせるために、及び、キャップが取り外されたときに水タンクから水を空にさせるために、水タンクの底面の持ち上がっている部分の近傍に配置され得る。追加又は代替で、ハンドルが、フレームへの水タンクの取り付け、又は、フレームからの水タンクの取り外しを容易にするために、水タンクの一部分に形成され得る。
【００３４】
別の例示の実施形態では、タイル用又はレンガ用の鋸組立体が、鋸とフレームとを備えるために提供されてもよく、鋸及びフレームは、前述のように、ブレード組立体のブレードを回転させてワークピースを切断するように動作可能とされるモータを備え得る。ブレードの一部分を遮蔽するように構成されるブレードガード内で水をブレードに提供するためにブレードの両側に配置されるノズルによって、ブレード組立体の内部は、動作の際に湿らせられる。フレームは、ワークピースを支持するために鋸に動作可能に結合される。フレームは、水を収集するための水収集システムを支持する。ノズルは、ブレードガードの一部分へと延びるように、及び、ブレードの回転軸に対して上向きの角度でブレードの方を向くように、位置決めされる。
【００３５】
一部分の実施形態の鋸組立体は、単独、又は、互いとの組合せのいずれかで、選択的に追加できる付加的な特徴を含んでもよい。例えば、一部分の実施形態では、（１）鋸は、ブレードガードに結合される水収集部をさらに備え得る。水収集部は、ブレードが延びて通るブレード開口部を形成している。ノズルは、操作者に最も近い水収集部の第１の端部の近傍に設けられてもよく、水収集部は、水収集部（１６０）の第２の端部に配置される出口へとチャネルを通じて水を方向づけてもよい。例示の実施形態では、（２）水収集部は、ブレードガードから移動可能とされる単一の一体部品として形成されている。しかしながら、一部分の例示の実施形態では、（３）水収集部は、別々のチャネル部材によって形成されている場合がある。一部分の実施形態では、（４）別々のチャネル部材は、ブレードガードを形成する第１のブレードガード部材及び第２のブレードガード部材のそれぞれの一方と一体にされ得る。
【００３６】
一部分の実施形態では、（１）〜（４）のうちのいずれか又はすべてが、以下に記載する選択的な変更又は拡張に加えて用いられてもよい。例えば、一部分の実施形態では、ブレードは、ブレードの周囲から内方に延在している切欠を備え得る。ノズルは、ミストを形成するために、ノズルからのジェットが切欠に衝突するように配置され得る。追加又は代替で、ノズルは、ブレードから５ｍｍ未満の距離、好ましくは、４ｍｍ未満の距離に配置され得る。ノズルは、回転軸に対して、１５度より大きい角度、好ましくは、３０度より大きい角度で方向づけられ得る。一部分の場合では、角度は約４５度であってもよい。追加又は代替で、鋸組立体は、出口から水収集システムの方へと水を方向づけるために、ブレードガードに回動可能に結合される回転式飛沫ガードをさらに備え得る。追加又は代替で、ブレードガードは、回転軸の周りに回転可能に配置されてもよく、水収集部におけるチャネルが、切断の間、第１の端部から出口のある第２の端部へと、下方に傾斜するように、リンクが、切断の間にブレードガードを回転するように配置され得る。追加又は代替で、水収集部は、ノズルが出口により高い高さにあるように、ブレードガードに配置され得る。追加又は代替で、ブレードガードへと分配される少なくとも一部分の水は、ワークピースへと運ばれてもよく、余分な水は、ブレード及びブレードガードによって、水収集部へと方向づけられてもよい。
【００３７】
前述の説明及び関連する図面で提示された教示の利点を有する、本明細書で明記された本発明の多くの変更及び他の実施形態が、これらの発明が関連する当業者には思い付くことになる。そのため、本発明が開示された特定の実施形態に限定されないことと、変更及び他の実施形態が、添付した特許請求の範囲内に含まれるように意図されていることとを理解されたい。さらに、前述の記載及び関連する図面は、要素及び／又は機能の特定の例の組合せの文脈で、例示の実施形態を説明しているが、要素及び／又は機能の異なる組合せが、添付の特許請求の範囲から逸脱することなく、代替の実施形態によって提供されてもよいことを認識されたい。この点において、例えば、先に明示的に記載したものと異なる要素及び／又は機能の組合せもまた、添付の特許請求の範囲の一部分において明記され得るように企図される。利点、便益、又は、問題への解決策が、本明細書に記載されている場合では、このような利点、便益、及び／又は解決策は、いくつかの例示の実施形態に適用可能であり得るが、すべての例示の実施形態に必ずしも適用可能ではないことを認識されたい。従って、本明細書に記載されている任意の利点、便益、又は解決策は、すべての実施形態又は本文書において特許請求される対象にとって、重大であるとして、要求されるとして、又は、必須であるとして、考えられるべきではない。特定の用語が本明細書では用いられているが、それらは、限定の目的のためではなく、一般的で説明的な意味で用いられているにすぎない。
【符号の説明】
【００３８】
１００  携行式鋸
１１２  モータ
１１４  鋸ブレード組立体
１５０  ブレードガード
１５５  切欠
１５８  ブレード
１６０  水収集部
１６２  ホース
１６３  前方ハンドル
１６４  ノズル
１６４  後方ハンドル
１６５  ハンドルユニット
１６６  駆動ユニット
１６８  送水弁
２００  タイル用鋸
２１０  鋸
２１２  モータ
２１４  ブレード組立体
２１６  ハンドル
２１８  移動組立体
２２０  フレーム
２２１  水収集システム
２２２  収集部
２２４  水タンク
２２６  ワークピース支持体
２２８  溝
３００  位置決め組立体
４００  鋸組立体
４１０  鋸
４１２  モータ
４１４  ブレード組立体
４１６  ハンドル
４１８  移動組立体
４２０  フレーム
４２１  水収集システム
４２２  収集部
４２４  水タンク
４２６  ワークピース支持体
４２８  溝
４５０  ブレードガード
４５１  リンク
４５２、４５２′  第１のブレードガード部材
４５３  ガスケット
４５４、４５４′  第２のブレードガード部材
４５５  切欠
４５６、４５６′  回転式飛沫ガード
４５７  尾部品
４５８  ブレード
４５９  チャネル
４６０、４６０′  水収集部
４６１  第１のチャネル部材
４６２  ホース
４６３  第２のチャネル部材
４６４  ノズル
４６６、４６６′  出口
４６８  軸（接続ノブ）
４６９  回転軸
４７０  ベルトプーリ、ブレード開口部
５００  道路用鋸
５０１  表面
５１２  モータ
５１４  ブレード組立体
５５０  ブレードガード
５５８  ブレード
５６０  水収集部
５６２  ホース
５６４  前方端部ノズル
５６４′  後方端部ノズル
５８０  尾部品
【図１】
2017109404.tif 000003
【図２】
2017109404.tif 000004
【図３】
2017109404.tif 000005
【図４Ａ】
2017109404.tif 000006
【図４Ｂ】
2017109404.tif 000007
【図５】
2017109404.tif 000008
【図６】
2017109404.tif 000009
【図７】
2017109404.tif 000010
【図８】
2017109404.tif 000011
【図９】
2017109404.tif 000012
【外国語明細書】
2017109404000001.pdf